Podtech/llm-jp-corpus-v4-ja_patent huggingface dataset:
(57)【要約】［課題］通常洗濯物を乾かすときハンガ−に掛けるのであるが室内ならともかく屋外に出す場合，小型の洗濯バサミを使用し洗濯物が落下したり風などに飛ばされないようにする。いらいちエプロンなどのポケットから取り出さなければならない。［解決手段］いらいら小型洗濯バサミヲ取り出す手間を省くため永久磁石の吸着力を利用し一動作（両手にて）洗濯物を押さえ込み，洗濯物を掛ける際は一動作（両手にて）開放するものである。なお，永久磁石の強度は１０００ガウス〜１５００ガウス位いが手頃である。【選拓図】図１【特許請求の範囲】
【請求項１】
通常の洗濯物ハンガ−使用の際，小型洗濯バサミ使用の手間を省くため永久磁石装着の押さえバ−を利用することにより洗濯物を一動作にて簡単に押さえ込む方法。
【請求項２】
永久磁石製造の際各色微粒子を混入し美的感覚を持たせ合わせて防錆効果を上げる。
【発明の詳細な説明】
【発明の詳細な説明】
［発明の属する技術分野］
【０００１】本発明は永久磁石を装着した押さえバ−を使用することにより両手一動作にて洗濯物を押さえ込んだり開放，取外しを簡単にしたものである。
［従来の技術分野］
【０００２】従来，洗濯した上衣，シャツ類を乾かすとき滑り落ちたり特に屋外では風などに飛ばされないよう小型洗濯バサミで挟んでいる。
いちいちエプロンなどのポケットから洗濯バサミ取り出したりして挟みつけたりするので結構手間が掛かる。従来，これらを簡単にする方法はなかった。
［発明が解決しようとする課題］
【０００３】特に屋外などで落下したり風などに飛ばされないよう小型洗濯バサミなどで挟みつけるわけであるが，この手間を省こうとするものである。
当然，洗濯バサミを取り外す手間も要らない。
［課題を解決するための手段］
【０００４】本体中央部にミニチュアハウス型屋根上部に薄い永久磁石を両斜面に貼付する。その上に回転ドラム（二連分割）を置き押さえバ−と繋ぐ，バ−の根元に永久磁石を装具し本体ハンガ−と重ね合わせる構造とする。
ミニ屋根型中央部の磁石と押さえバ−の吸着関係は当然ＮＳの作用にて押さえ込みを保持する。
よって洗濯物が落下したり風などに飛ばされない。
洗濯物をハンガ−に掛けるときは両手一動作にて垂直方向に持ち上げる。
押さえバ−左右中間に設けられた永久磁石の吸着により倒れない。
［発明の実施の形態］
【０００５】以下本発明の実態について説明する。
回転ドラムＡＢに繋がれた押さえバ−が持つ１により乾かすために掛けられた洗濯物を，押さえバ−５により保持する。
洗濯物を外すときは両手一動作にて上方垂直方向に持ち上げる。
あげた時点で中央付近の永久磁石により開放状態を保持する。
［発明の効果］
【０００６】両手一動作にて洗濯物をハンガ−に押さえ込み，外すときは両手一動作にて垂直方向にあげれば中央部永久磁石（左右ＮＳの関係にあること）によりもどったりしない。
【図面の簡単な説明】
【図１】本発明の正面図である（押さえバ−作動）
【図２】本発明，押さえバ−開放時のものである。
【符号の説明】
１  永久磁石
２  回転ドラム（ＡＢ）二連分割型
３  ハンガ−吊り金具
４  回転ドラム支持枠（図は透明に設定）
５  押さえバ−
６  ハンガ−本体
７  ミニチュアハウス屋根型基台
８  誘導片（押さえバ−降ろしたときのブレ防止）
【図１】
2005192958.tif 000002
【図２】
2005192958.tif 000003
(57)【要約】【課題】グリーン上で確実にホールインするために、ビリヤードの玉を突く要領でパッティングする方式を可能にするプッシュ用ゴルフパターを提供する。【解決手段】円柱状パターヘッドとその外周面に垂直に接合したシャフトからなるゴルフパターである。  このゴルフパターを使用して、プレーヤーはプレーヤーの視線がパットの線の延長線上になるようにボールの１メートル程後方に中腰でスタンスをとり、パターヘッドをプレーヤーの体前方に接地した状態でボールにアドレスする。そしてグリップを握った腕を後方に引き、ビリヤードの玉を突く要領でパターヘッドをグリーン上に接地したまま滑らしてストロークすることを特徴とするゴルフパット方式である。【選択図】  図１
2005192966.tif 000002
【特許請求の範囲】
【請求項１】
円柱状パターヘッドとその外周面に垂直に接合したシャフトからなるゴルフパター。
【請求項２】
プレーヤーは、プレーヤーの視線がパットの線の延長線上になるようにボールの１メートル程後方に中腰でスタンスをとり、パターヘッドをプレーヤーの体前方に接地した状態でボールにアドレスする。そしてグリップを握った腕を後方に引き、ビリヤードの玉を突く要領でパターヘッドをグリーン上に接地したまま滑らしてストロークすることを特徴とするゴルフパット方式。
【発明の詳細な説明】
【発明の詳細な説明】
【技術分野】
【００１】  この発明は、グリーン上で確実にホールインするためのパッティング方式であり、プッシュ用ゴルフパターに関するものである。
【背景技術】
【００２】  従来のゴルフパターは、パターヘッドのヒール部分にシャフトが接合されてライ角が９０度未満である。また、パターヘッドのフェースは平面である。
このゴルフパターを使ったパッティング方式は、パットの線に対してスタンスを並行にとり、体の前方でグリップを握った左右の腕を振り子のようにスウィングしてストロークする。
【発明が解決しようとする課題】
【００３】  そのため、次のような問題点が発生している。
（イ）プレーヤーは、パッティングラインを予測して、ボールの打ち出す方向と強さをイメージに入れてパットの線に対して並行にスタンスをとる。そのためストロークするとき、プレーヤーはボールのみが視野にあるため、イメージした打球の方向と強さの記憶が薄れていき、思い描いた結果が得られない。
（ロ）従来のパッティング方式では、プレーヤーが体の正面前方で両腕を振り子のようにして左右にスウィングするため、パターヘッドのフェースとイメージしたパットの線に置かれたボールを垂直にヒットできなかったり、パターヘッドのスイートスポットから左右に外れたり、ボールのトップを叩いたりするミスショットを起こしやすい。
（ハ）プレーヤーの利き腕によって、ゴルフパターが右利き用と左利き用に区別される。
本発明は、これらの問題点を解決するためになされたものである。
【課題の解決するための手段】
【００４】  円柱状パターヘッドとその外周面に垂直に接合したシャフトからなるゴルフパターである。
このゴルフパターを使用して、プレーヤーはプレーヤーの視線がパットの線の延長線上になるようにボールの１メートル程後方に中腰でスタンスをとり、パターヘッドをプレーヤーの体前方に接地した状態でボールにアドレスする。グリップを握った腕を後方に引き、ビリヤードの玉を突く要領でパターヘッドをグリーン上に接地したまま滑らしてストロークする。
【発明実施の形態】
【００５】  以下、本発明の実施の形態について説明する。
図１の円柱状パターヘッドは、左右の円形面の直径はボールの直径とほぼ同じ長さを有し、外周面の幅はボール約２〜３個分の長さがあればよい。シャフトはまっすぐな適度の長さを有し、円柱外周面に垂直に接合する。
次にこのゴルフパターを使用したパッティング方式について図２を説明する。プレーヤーは右利きである場合、まずプレーヤーの視線がパットの線に対して延長線上になるようにボールの１メートル程後方で左足を前方に曲げて出し、右足を後方に曲げて引く中腰のスタンスをとる。このときパットの線の延長線上を足で跨いだり踏まないように注意することが必要である。ゴルフパターは右手でグリップを握り、左手はシャフトの上部辺りに添えるか、または左膝の上に置くとよい。そしてパターヘッドが体の前方でグリーンに接地するようにボールにアドレスする。イメージした打球の方向と強さを考えて、ゆっくりとパターヘッドを接地させたまま右手を適度に後ろに引き、ビリヤードの玉を突く要領で右手を前方に押し出すことでパターヘッドをグリーン上に滑らしてストロークする。
【発明の効果】
【００６】  ボールはパターヘッドの円柱外周面とヒットするため、常にボールの中心をヒットできる。その為、ボールのトップを叩くことが無くなる。
また、パットの線とボール、パターヘッドを常に視野に入れながら腕を前方に押し出してストロークするため、パターヘッドの中心部から左右に外れたり、パットの線に対してパターヘッドが垂直にヒットしないなどのミスショットが軽減される。イメージどおりに打球の方向及び強さをより正確に発揮することができるため、従来のパッティング方式より確実性が増す。
【図面の簡単な説明】
【図１】    本発明の斜視図
【図２】    本発明の使用説明図
【符号の説明】
１  パターヘッド
２  シャフト
３  グリップ
４  ボール
５  パットの線
【図１】
2005192966.tif 000003
【図２】
2005192966.tif 000004
(57)【要約】      （修正有）【課題】トイレットペーパーの残量を確認し易い表示器を提供する。【解決手段】樹脂製（紙製）の本体１の表面には、残量を表示させるための目盛りが書かれている。この本体１の表面に、上下可動するように可動子２が設けられている。この可動子２は、目盛りを示す矢印がついている。【選択図】図１
2005192961.tif 000002
【特許請求の範囲】
【請求項１】
トイレットペーパーの残量を知らせることを特徴とする表示器。
【請求項２】
前記表示機は、現行のトイレットペーパーホルダーにあわせた設置が  できるものであることを特徴とする請求項１記載の表示器。
【発明の詳細な説明】
【技術分野】
【０００１】  この発明は、ロール状トイレットペーパーの形状に関する。
【背景技術】
【０００２】  従来のトイレットペーパーの残量確認方法は、図２に示すように、ホルダー内のトイレットペーパーを目視するものである。
【発明の開示】
【発明が解決しようとする課題】
【０００３】しかしながら、以上の技術によれば、目視しにくく、特に残量が減ってくると確認しづらい場合があった。
そこで、この発明は、常にトイレットペーパーの残量を表示させることで、交換時期を判別し、予備のトイレットペーパーを用意すること
を課題とする。
【課題を解決するための手段】
【０００４】  以上の課題を解決するために、第一発明は、トイレットペーパーの残量を知らせることを特徴とする表示器である。
第二発明は、現行のトイレットペーパーホルダーにあわせた設置ができることを特徴とする表示器である。
また、第三発明は、電源を使わないことを特徴とする表示器である。
【発明の効果】
【０００５】  第一発明によれば、従来の方法よりも確実に確認しやすい。
【発明を実施するための最良の形態】
【０００６】  この発明の一実施形態を、図１に示す。
本体１は樹脂製（紙製）であり、この本体１の表面には、残量を表示させるための目盛りが書かれている。この本体１の表面に、上下可動するように可動子２が設けられている。この可動子２は、目盛りを示す矢印がついている。【０００７】「実施形態の効果」
この実施形態によれば、可動子２でトイレットペーパーの厚みを検出し、また可動子の矢印によって本体１に書かれた目盛りを判別することで、残量を確認しやすい。本体１は現行のトイレットペーパーに設置するものである。【０００８】「他の実施形態」
図１の実施形態では、本体１の目盛りは右側であったが、他の実施形態では、本体１の目盛りは左側のものでも良い。
【図面の簡単な説明】
【０００９】
【図１】この発明の一実施形態を示す斜視図である。
【図２】従来技術を示す斜視図である。
【符号の説明】
【００１０】１  本体            ２  可動子
【図１】
2005192961.tif 000003
【図２】
2005192961.tif 000004
(57)【要約】      （修正有）【課題】スリッパ等簡易な履物の不安定感、脱落の恐れなどを解消するために、用具も人手も使わずに、ただ歩くという自然な動きで、空気圧を作り出し、その圧力を利用して、前記の不安感及び恐れを解消することにある。【解決手段】柔軟な底板を中空のエアータンクとし、底板をＶ字バネ２で前後に挟んで装着し、底板の補強と共にエアータンクの圧縮、膨張の運動の助けとする。そこに歩くという自然な動きがエアータンクのポンプ運動となりゴムチューブ５の末端の自動弁７で空気圧が生ずる。その空気圧で底板の土踏まず部分とスリッパ上覆を縫うゴムチューブ５を膨らませて足を圧力で包み、スリッパとの隙間をなくして、不安定感、脱落の恐れを解消できる。【選択図】図２
2005192967.tif 000002
【特許請求の範囲】
【請求項１】
「スリッパ」などの底板を中空にして、必然的な歩く動作が「ポンプ」作用となり、空気圧を作り出す。その空気圧で、底板の土踏まず部分及び連結する「スリッパ」の上覆の「エアーパットかゴムチューブなど」を膨らませ、足を空気圧で包み、不安定を解消する構造
【請求項２】
上覆の「エアーパット」又は「ゴムチューブ」の末端に自動弁、排気用突起を装着し、その位置は両足共内側の相対する位置とする。「スリッパ」を脱ぐ時、両足を揃えて互いに排気用突起を同時に押し、同時に空気を抜く。そのため、自動弁排気用突起の位置は相対する位置でなければならない。
【発明の詳細な説明】
【技術分野】
【０００１】    履物
【背景技術】
【０００２】  屈んで、手で操作し空気を入れていた  又  紐等で縛っていた
【発明の開示】
【発明が解決しようとする課題】
【０００３】  高齢者など、体が不自由になると「靴下を履いてのスリッパ使用を控えるように」という識者の提言がある。それはスリッパが脱げそうな不安定感が強いからで、転倒等の危険につながりかねない。  考案は簡単な方法で、手を使わず、用具も不要  ただ普通に歩くという必然的な動作により生まれる空気圧を利用して、不安定感を解消することにある。脱ぐ時は両足を揃えて寄せ、突起を押すだけで空気圧が抜け、着脱共容易にし、脱いだ後も綺麗に整えたい。
【課題を解決するための手段】
【０００４】  柔軟な底板は中空にし「エアータンク」とする。「エアータンク」を「Ｖ字バネ」で挟んで補強し「エアータンク」の伸縮力を増強する。「Ｖ字バネ」は土踏まず部分を「カット」して、空気圧が土踏まずに伝わり易くする。空気圧は「エアータンク」から連結する「ゴムチューブ」又は「エアーパットに伝わり、「ゴムチューブ」は「スリッパ」の上覆を表裏に縫って、外側にでる。位置は両足の相対する所で末端に、自動弁、排気用突起を装着する。自動弁は圧力を一定にするためで、排気用突起は「スリッパ」を脱ぐ時に押して空気圧を除去するためのものである。「エアーパック」は「ゴムチューブ」に置き換えたもので、末端は「ゴムチューブ」と同じく自動弁、排気用突起を装着する。
【発明の効果】
【０００５】  全く普通に歩くという動きで空気圧が得られ、それを利用し不安定感を解消する。また、相対する位置にある排気用突起は両足を揃えて寄せ、左右同時に押し合って排気する。従って脱ぐ時も立ったままで良く、当然脱いだ後を揃える必要もない。空気圧が常時作り作り出されるのであるから、着脱する開口部も広くてよく、従って履き易く、脱ぐ時は圧力を除くのであるから、当然脱ぎ易い。
【発明を実施するための最良の形態】
【０００６】  履く、歩くという必然的な動作で、中空底板「エアータンク」を伸縮し、「ポンプ」作用で作り出された空気圧で、底板の土踏まず部分及び連結する「ゴムチューブ」又は「エアーパット」を膨らませ、圧力で足を包んで、不安定感を解消する。「ゴムチューブ」末端の排気用突起は「スリッパ」を脱ぐ時、両足を揃えて寄せ、左右突起を同時に押し合って空気を抜き、脱ぎ易くする。従って脱いだ状態も乱雑にならない。突起に弱い磁石を装着すれば、更に脱いだ後が揃い易くなる。
【実施例】
【０００７】  図面は「ゴムチューブ」を使用したもの、「エアーパット」は「ゴムチューブ」に置き換えたもの
【産業上の利用可能性】
【０００８】  サンダル  靴
【図面の簡単な説明】
【０００９】  図は「ゴムチューブ」を使用した場合のもの
【第１図】
平面図斜線の部分は中空（「エアータンク」）を示す。格子部分は「エアータンク」を挟む「Ｖ字バネ」の表面板の土踏まず部分を「カット」して、空気圧が土踏まずに伝わる部分
【第２図】
側面断面図
【第３図】
断面図
【第４図】
自動弁、排気用突起の設置位置、両足の相対するところを示す
【第５図】
自動弁、排気用突起の拡大図
【符号の説明】
（１）中空底板の全容  （２）Ｖ字バネ  土踏まず部分をカット  （３）エアータンク形成ゴム  （４）スリッパ上覆  （５）エアータンクと連結するゴムチューブ  （６）エアータンク格子部分は「Ｖ字バネ」「カット」で空気圧が土踏まずに伝わる  （７）自動弁、排気用突起  （８）吸入孔、弁  （９）スリッパ上覆を表裏に縫ったゴムチューブが表面に出たところ  （１０）第５図、自動弁、排気用突起拡大図の外筒排気孔  （１１）第５図、自動弁、排気用突起拡大図の内筒排気用突起を押して機能する排気孔  （１２）第５図、自動弁、排気用突起拡大図の内筒空気圧によって自動的に機能する排気孔  （１３）バネ  （１４）蓋  （１５）外筒2005192967.tif 000003
（１６）磁石
【図１】
2005192967.tif 000004
【図２】
2005192967.tif 000005
【図３】
2005192967.tif 000006
【図４】
2005192967.tif 000007
【図５】
2005192967.tif 000008
(57)【要約】［課題］  掛け布団カバーを取り替える際、体力のない女性や高齢者でも掛け布団の出し入れ作業が容易にできる掛け布団カバーの提出。［解決手段］  掛け布団カバーの１つのファスナーを開く事に依って、掛け布団カバー表面が大きく開き、出し入れを容易にする構成と、スナップ２個で簡単に、しかも強く引っ張ってもはずれにくい着脱具を取りつけた構成【選択図】  図２
2005192969.tif 000002
【特許請求の範囲】
【請求項１】
内側の布１に掛け布団９を乗せ、その上に外側の布２を乗せ、掛け布団９を覆う構造で４Ａからファスナー４Ｂを４Ｃで係止。
【請求項２】
４Ｃで係止した金具を顔に近付けない為、襟カバー３でファスナーの開閉つまみを覆う。４Ｃのファスナー開閉つまみを保護することを目的としたデザインである。
【請求項３】
掛け布団カバーと掛け布団を固定する為、２種類の着脱具５・６を使っている。５の着脱具は４つのスナップで出来ている。
【発明の詳細な説明】
【発明の詳細な説明】
［発明に属する技術分野］
【０００１】本発明は、掛け布団の出し入れが容易にできる掛け布団カバーに属している。
［従来の技術］
【０００２】従来の掛け布団カバーの形状は、一方に布団出し入れファスナーで掛け布団の出し入れ作業を行なう。また、布団のずれる事態を防止する為、掛け布団カバーの内部、四隅には掛け布団を固定する紐が取り付けられている。
【０００３】しかしながら、上記従来の掛け布団カバーの出し入れには非常に狭く掛け布団を出し入れする際に、大変な労力が必要とされ、体力のない高齢者などは、きつい作業になる。
［発明の解決しようとする課題］
【０００４】掛け布団カバーを洗濯する際は、掛け布団の出し入れ作業に伴い大変な労力と手間が費やされる。
特に体力のない高齢者は、掛け布団の出し入れ作業が面倒で洗濯をおろそかにし不衛生である。掛け布団と掛け布団カバーを固定する紐の取り付け、取外し作業も掛け布団出し入れ口に両手を差し入れ、確認しながらの作業が必要とされ面倒である。このように従来の掛け布団カバーは難点が多く作業時の利便性に欠く製品となっている為、掛け布団の出し入れ作業が容易に出来る掛け布団カバーの提供が最重要課題である。
［課題を解決するための手段］
【０００５】そこで本発明は、上記課題を解決する為に従来の掛け布団カバーと全く異なる構造の掛け布団カバーを形成した。
【０００６】請求項１に記載の掛け布団カバーは、布１と布２を７の位置で、布１と布３を８の位置で縫い合せる事に依り、洗濯する時も干す時も、布が大きく広がりすぎず、掛け布団９を掛け布団カバーに出し入れする時、複雑にならず簡単である。
【０００７】請求項２に記載の襟カバーをつける事に依りファスナー４Ａ・４Ｂ・４Ｃで係り止めした金具が顔や手を傷つける事態を防止する。
又、布３が襟カバーの役目に成るのでレース、パイキング、スカラップ、ギャザー等の装飾を施すことが出来る。
【０００８】襟カバーの表面となる布にスカラップ、刺繍、レース、パイピング、キャラクター、ギャザー等を施し、襟カバーだけを別布にする事に依り、違う素材や柄を変える事が出来る。
又、裏にビニールのついた布などに変えた襟カバーにして、なお且つ取り外しが出来れば、乳児がミルクをはいた時等にとても便利である。
［発明の実施の形態］
【０００９】実施例について図面を参照して説明する。
図２は、請求項１に記載の掛け布団カバーを開放し、掛け布団を乗せた状態の図である。ファスナー４Ａ・４Ｂ．４Ｃを開放する事で掛け布団の出し入れが体力がいらず簡単に出来る。
【００１０】図３は請求項２に記載のファスナー４Ｃの係り止めの位置を書いたものであり、掛け布団カバーの正面図である。
襟カバー３の布の下に入り込む位置にファスナーをつける事に依り、４Ｃのファスナーの金具が表に出る事が無く、顔や手を傷つける事がない。
【００１１】図１は請求項１に記載の掛け布団カバーの正面図である。掛け布団がずれないため従来の紐の替りに多くの着脱具を設けている。布１の表面四隅に着脱具５を４つ、その間に６の着脱具を４つ付けている。
着脱具を９の掛け布団のループにいれ、４Ｂ・４Ｃのファスナーを閉じる事に依り容易にカバー出来る。
【００１２】図６は５の着脱具を示したものである。１６を掛け布団カバーに縫い付ける事に依り、１５を掛け布団のループに入れ１０と１２、１１と１３を止める事で１４に力が入り取れにくい。
［発明の効果］
【００１３】本発明の掛け布団カバーはファスナーを開放することで、カバー表面が大きく開き掛け布団カバーの取り替え作業が容易に出来る。
【００１４】一本のファスナーで掛けふとを被包する構造なので、掛け布団カバーの掛け布団カバーの取り替え作業が容易に出来る。
【００１５】着脱具６もスナップを２つはめるだけで強く引っ張っても外れにくく、煩わしい紐を結ぶ手間が省け高齢者でも簡単に作業が出来る。
【００１６】体力のない高齢者でも労力を必要とせず掛け布団カバーの取り替え作業が容易に出来る状態になる。
【００１７】掛け布団カバーの取り替え作業で手間をとられ難儀する事態が一切なく高齢化の進む社会ニーズに合った製品となる。又、ベット数の多い医療や介護福祉の現場に最適な製品であり入院患者等の掛け布団カバーの取り替え作業が向上する。
【図面の簡単な説明】
【００１８】
【図１】  掛け布団カバーのファスナーを開放した状態の図。
【図２】  請求項１に記載の掛け布団カバーに掛け布団を乗せ着脱具で止めた状態の図。
【図３】  請求項２に記載の掛け布団カバーを閉じた時のファスナー止めを表わした図。
【図４】  請求項１に記載の掛け布団カバーを閉じた時のファスナーの位置を示した図。
【図５】  請求項１に記載の掛け布団カバーを閉じた時のデザインを入れた状態の図。
【図６】  ５の着脱具を示した図。
【符号の説明】
【００１９】  １    布
２    布
３    布
４Ａ  ファスナー開閉つまみ
４Ｂ  ファスナー
４Ｃ  ファスナー
５    着脱具
６    着脱具
７    布
８    布
９    掛け布団
１０    凸部
１１    凸部
１２    孔
１３    孔
１４    折り曲げ部
１５    つまみ
１６    取付け部
【図１】
2005192969.tif 000003
【図２】
2005192969.tif 000004
【図３】
2005192969.tif 000005
【図４】
2005192969.tif 000006
【図５】
2005192969.tif 000007
【図６】
2005192969.tif 000008
(57)【要約】【課題】握力の弱い老人や身体障害者等が自力で自分の肌を綺麗にするための機器である。【解決手段】棒の先端部分にブラシ類が取り付けてあるものと、円盤にブラシ類が取り付けてあるものの二機種があり、この機器を片手で持ち、人の肌にブラシの先端部分を密着させ温水や洗浄液・化粧水・塩等を噴射したり付着させてモーターの作用により回転等させて身体の汚れを洗い落したり、化粧液を肌に塗布・摩擦して肌を綺麗にするもので、通称「孫の手」として肌の洗浄や手入れに使用する機器である。【選択図】  図１
2005192978.tif 000002
【特許請求の範囲】
【請求項１】
電動式変形棒手持ち型のアカスリ・化粧機器であり、片手で持てる変形棒（１）の先に洗浄筒（２）があり、この筒の中にはモーター（４）洗浄液タンク（５）が内臓されており、その先端部には、身体のアカや汚れを取り除いたり化粧をする（通称アカスリ）ためのスポンジ・タワシ・ヘチマ・化学繊維等で出来ているブラシ類（身体の皮膚を擦るための接触度を高める効果がある物）が取り付けてある洗浄頭（３）があり、この洗浄頭に取り付けてあるブラシ類を、電動式モーターで回転運動又は往復運動等の動作をさせ、洗浄液タンクに入っている液を噴射させることにより皮膚のアカや汚れを取り除き、化粧液を噴射して皮膚に塗布することにより肌の化粧が出来る電動式のアカスリや化粧をする方法。
【請求項２】
電動式円盤型で手持ち式のアカスリ・化粧機器であり、円盤の平たん部分には、スポンジ・タワシ・ヘチマ・化学繊維等で出来ているブラシ類（身体の皮膚を擦るための接触度を高める効果がある物）が取り付けてある洗浄頭（３）があり、円盤筒（６）の中にはモーター（４）、洗浄液タンク（５）が内臓されており、円盤筒の上部は、手首を固定するための手の指を支える凹部と，手の甲を支えるバンド類が取り付けてあり、洗浄液タンクに入っている液を噴射して皮膚のアカや汚れを取り除いたり、化粧液を噴射させて皮膚に塗布して化粧等するために、洗浄頭に取り付けてあるブラシ類を電動式モーターにより回転運動又は往復運動の動作をさせて肌を綺麗にする、電動式のアカスリや化粧をする方法。
【請求項３】
請求項１の、電動式変形棒手持ち型のアカスリ・化粧機器
【請求項４】
請求項２の、電動式円盤型で手持ち式のアカスリ・化粧機器
【発明の詳細な説明】
【技術分野】
【０００１】  本発明は、風呂等の入浴時に、身体障害者・負傷者や老人等が本機器を使用して、他人の介添えなく、自力で自分の身体の汚れやアカを取り除き、肌の化粧等する機器である。
【背景技術】
【０００２】  身体障害者や老人等は握力が弱いため、入浴時には、他人の介添を得て身体のアカスリや身体の化粧等をしており、全自動式の入浴機器では自分が満足出来る圧力が掛からないため満足度が低い。
【発明の開示】
【発明が解決しようとする課題】
【０００３】  本発明は、身体障害者や老人等の握力が弱っている人であっても、介添人なくして、自力で入浴時に手の届かない背中部分まで電動式の機器を使用してアカスリや化粧等をしょうと言うものである。
【課題を解決するための手段】
【０００４】  本発明の一つは、変形棒の先端にブラシ類を取り付け、このブラシを回転させて身体を綺麗にしょうと言うものであり、手持ち式の変形棒（１）の先端に取り付けてある洗浄筒（２）の先端部分にある洗浄頭（３）のブラシ等を、電動式となっているモーターの作用により回転させ、洗浄液タンク（５）に入っているボディーシャンプや化粧水等を噴射させで身体を摩擦する事により、身体のアカを取り除いたり、化粧をしたりする電動式の変形棒手持ち式のアカスリ・化粧機器である。【０００５】  洗浄筒（２）の中には、モーター（４）と、ボディーシャンプや化粧水を入れる洗浄液タンク（５）が内臓されており、洗浄筒に連結されている洗浄頭に取り付けてあるブラシ類を身体の肌に接着させて回転等させる事により肌を綺麗にするのである。【０００６】もう一つの発明は、円盤型となっている表面部分にブラシ類を取り付け、これをモーターで回転等させる事により身体のアカや汚れを取り除き、化粧をしたりする（通称アカスリ機）請求項２の機器であり、これは、手の届く部分をスポンジ類・タワシ又は化学繊維で出来ているブラシ類の作用を有する（身体の皮膚を擦るための接触度を高める効果がある物）加工品を取り付けて肌の接着面を洗浄したり、化粧をするのである。【０００７】  ボディーシャンプや化粧水は、手元にある噴射装置のボタン等の操作により、希望に応じた量を噴射させる事が出来る。また、何れの機器とも、洗浄頭に取り付けるブラシ類の部分は、自由に取換・交換が出来る。【０００８】  洗浄頭のブラシ部分には、肌に有効な塩や薬品等を付着させて使用する事も出来る。
【発明の効果】
【０００９】  身体障害者や老人等であっても、自分の肌の手入れに過重な力がいらず、動力により軽易に自分で手入れが出来るもので、特に入浴時の手助けとして使用すると抜群の効果がある。
【本発明を実施するための最良の形態】
【００１０】  本発明は、入浴時に、本人自身が本機器を片手で持って、機器の先端部にあるブラシ部分を身体の皮膚部分に当て、ボディーシャンプや化粧水等を噴射させて回転等させて肌を摩擦することにより肌が綺麗になる。
【実施例１】
【００１１】図１は、請求項３の「電動式変形棒手持ち型のアカスリ・化粧機」であり、身体の手の届かない背中の部分まで変形棒の先端に取り付けてある洗浄頭の作用により洗浄・化粧をする機器である。
【実施例２】
【００１２】図２は、請求項４の「電動式円盤型手持ち式のアカスリ・化粧機」であり、身体の手の届く部分を電動式によりアカスリや化粧等をする機器である。
【図面の簡単な説明】
【００１３】
【図１】は、請求項３の「電動式変形棒手持ち型のアカスリ・化粧機」であり、手の届かない背中の部分まで変形棒の先端に取り付けてある洗浄頭の作用により洗浄・化粧が出来る機器の一連の斜視図である。（実施例１）
【図２】は、請求項４の「電動式円盤型手持ち式のアカスリ・化粧機」で、手の届く部分を電動式によりアカスリや化粧等をする機器の一連の斜視図である。（実施例２）
【符号の説明】
【００１４】１  変形棒
２  洗浄筒
３  洗浄頭
４  モーター
５  洗浄液タンク
６  円盤筒
【図１】
2005192978.tif 000003
【図２】
2005192978.tif 000004
(57)【要約】【課題】  プラスチック製掛け布団に空気を入れる事により断熱効果が得られ、空気を抜く事により重量を軽く容積を小さくする事ができる。【解決手段】  プラスチック製不織布を上下に重ね合わせ不織布の間に互いに空気が通気する様にした空気袋を溶着もしくは接着して作り、空気袋に空気を外部から吹き込み使用する。【選択図】    図１
2005192977.tif 000002
【特許請求の範囲】
【請求項１】
プラスチック製の空気が漏れない不織布を上下に重ね合わせ、不織布の間に互いに空気が通気する様にした空気袋を連結して作り、空気袋に空気を外部から吹き込む口を取り付けたプラスチック製の掛け布団。
【発明の詳細な説明】
【技術分野】
【０００１】  本発明は、プラスチック製の掛け布団に関するものである。
【背景技術】
【０００２】  従来の掛け布団においては、羽毛、綿、羊毛等を使い掛け布団を作っている。【０００３】  従来の掛け布団にあっては、羽毛、綿、羊毛等を使い掛け布団を作っていた。そのため旅行やキャンプに携帯するには重量が重く容積も大きくなり適さないという問題点があった。
【発明の開示】
【発明が解決しようとする課題】
【０００４】  解決しようとする問題点は、羽毛、綿、羊毛等を使い掛け布団を作った場合重量が重く容積も大きくなり旅行やキャンプに携帯するには適さないという点である。
【課題を解決するための手段】
【０００５】  本発明はプラスチック製の不織布を上下に重ね合わせ、不織布の間に互いに空気が通気する様にした空気袋を複数連結して作り、空気袋に空気を外部から吹き込む口を取り付けて、そこから空気を吹き込む事により使用することを最も主要な特徴とする。
【発明の効果】
【０００６】  本発明は、プラスチック製掛け布団に空気を入れる事により空気の持つ断熱効果が得られる。
又、本発明のプラスチック製掛け布団は空気を抜く事により重量を軽くし容積を小さくする事ができる。
そして、従来の掛け布団では、羽毛、綿、羊毛等を使い掛け布団を作っていたため携帯するには重量が重く容積も大きくなった。
本発明のプラスチック製掛け布団では、空気を抜く事により重量を軽くし容積を小さく出来るため携帯するのに適しているという利点がある。
【発明を実施するための最良の形態】
【０００７】  発明の実施の形態を実施例にもとずき図面を参照して説明する。
図１において、１のプラスチック製不織布を上下に重ね合わせ、２の空気袋の仕切りを溶着もしくは接着して作り、３の空気吹き込み口を取り付ける。
４のプラスチック製掛け布団に３の空気吹き込み口より空気を吹き込む、吹き込まれた空気は５の連通用空気袋に入り６の各連通口を通って７の各空気袋に溜まる。７の空気袋に空気が溜まったら３の空気吹き込み口に栓をする。
７の空気袋に蓄えられた空気により掛け布団に必要な断熱効果を発揮する。
【産業上の利用可能性】
【０００８】  本発明のプラスチック製掛け布団では、空気を抜く事により重量を軽くし容積を小さく出来るため携帯するのに適している。
旅行やキャンプ、災害時の非常用掛け布団としても適用できる。
【図面の簡単な説明】
【０００９】
【図１】  本発明のプラスチック製掛け布団実施例を示す平面図である。
【符号の説明】
【００１０】１  プラスチック製不織布
２  空気袋の仕切り
３  空気吹き込み口
４  プラスチック製掛け布団
５  連通用空気袋
６  連通口
７  空気袋
【図１】
2005192977.tif 000003
(57)【要約】【課題】本発明は、ホームセンター・スーパーマーケットなどのトイレ内の補充用トイレットペーパーの盗難を防止します、おおよそ一日使用の分のトイレットペーパーを本発明に補充すると上からも下からも取り出すことは困難です、公衆トイレなどでも役立てると思います。【解決手段】本体（１）の筒型の内側上部に、長方形のプラスチック（２）を下向きに取り付ける、本体下方部の所にトイレットペーパーの芯より大きめ長方形の穴（３）を開け、穴の上部の内側に次使用するトイレットペーパーの降下を防ぐ為の突起物（４）を付ける、底は密閉して中心部にはトイレットペーパーが横にずれない様にする円柱の物を付けました。【選択図】図３
2005192974.tif 000002
【特許請求の範囲】
【請求項１】
通常のトイレットペーパーの紙が使い終わらないとホルダーから外れないで紙を使い終わると芯だけは取り出せるトイレットペーパーホルダー
【請求項２】
補充用トイレットペーパーが２個以上収納出来るトイレットペーパーホルダー。
【請求項３】
トイレットペーパーを収納する入口の場所付近にトイレットペーパーが逆戻りしにくい材質の物を取り付けたトイレットペーパーホルダー。
【発明の詳細な説明】
【発明の詳細な説明】
【技術分野】
【０００１】  本発明は、トイレ内のあっちこっちに置いてある補充用トイレットペーパーの盗難防止に関するものであります
【背景技術】
【０００２】  従来のトイレットペーパーホルダーでは、トイレットペーパーが１個補充用に入っている物もあります。
【発明が解決しようとする課題】
【０００３】ホームセンターなどのトイレでの補充用トイレットペーパーを盗難防止型トイレットペーパーホルダーに収納出来るとトイレットペーパー盗難防止に役立つ
【課題を解決するための手段】
【０００４】  本体（１）の筒型の内側上部に、長方形のプラスチック（２）を下向きに取り付ける、本体下方部の所にトイレットペーパーの芯より大きめ長方形の穴（３）を開け、穴の上部の内側に次使用するトイレットペーパーの降下を防ぐ為の突起物（４）を付ける、底は密閉して中心部にはトイレットペーパーが横にずれない様にする円柱の物を付けました。
【発明を実施するための最良の形態】
【０００５】  本発明は１個目のトイレットペーパーを使い切ったら芯を手前に抜き取る
次に突起物で止まっている２個目のトイレットペーパーを奥に押して下に降ろす３個目のトイレットペーパーを少し上に持ち揚げ内側の突起物に乗せる
トイレットペーパーホルダーからの出口が狭いため末端を出しにくい点がありますが指先と爪で引き出せます。
本発明の試作品を紹介します
直径１２５ミリ位の高さ４０センチ位の円筒の上方にはサイズの合うフタをして、上の内側奥行き５０ミリ位のところにプラスチックの板を下に向けて開き加減で３枚固定しました、入ったトイレットペーパーを上からの取りだしを困難にする仕掛けです円筒の下方にトイレットペーパーの芯のサイズよりやや大きめ縦長方形に穴を開けました、底は密閉で底の中心部には直径２０ミリ位、高さ２０ミリ位の円柱を固定しました、トイレットペーパーが回転中ずれない様にする為です。
【発明の効果】
【０００６】  一度上から入れたトイレットペーパーを取り出すには相当困難です、３個入れて一番下のトイレットペーパーを使用しても不便はありません、トイレットペーパーの紙が無くなって芯を取り出し、次のトイレットペーパーを使用する順序は難しくはありません。
【図面の簡単な説明】
【図１】本発明の正面図
【図２】本発明の真上からの図面
【図３】本発明の使用状態の斜面図
【図４】本発明の使用状態の真上からの図面
【符号の説明】
（１）本体、（２）フタ、（３）戻り防止器具、（４）取り付け器具、
（５）下降防止器具、（６）取りだし口、（７）中心部の器具、
（８）トイレットペーパー
【図１】
2005192974.tif 000003
【図２】
2005192974.tif 000004
【図３】
2005192974.tif 000005
【図４】
2005192974.tif 000006
(57)【要約】【課題】  顔面防寒と燃料カイロ等の必要が無く衣服内の温度を上昇させることが容易で二つの機能を併せ持つ暖房マスクを提供する。【解決手段】  眼下から顎部までを密閉して覆うマスクと逆止弁付きの吸入口と吐息送風口を一体化させた暖房マスク。【選択図】図１
2005192976.tif 000002
【特許請求の範囲】
【請求項１】
吸入口と吐息送風管が顔面の眼下から顎部を密閉するマスクと一体化となった、人の吐息を確実に衣服へ送風して衣服内温度を上昇させることを特徴とする暖房マスク。
【請求項２】
吸入口には逆止弁が取付けてあり吸入一方向のみの、請求項１の暖房マスク。
【請求項３】
吐息送風口先端部には逆止弁が取付けてあり送風一方向のみの、請求項１の暖房マスク。
【請求項４】
吐息送風管はマスク下部から首に沿って衣服へと延びるフレキシブルチューブからなる、請求項１の暖房マスク。
【発明の詳細な説明】
【技術分野】
【０００１】  本発明はマスクに関し、特に衣服内温度を上昇させ暖をとるための暖房用のマスクに関する。
【背景技術】
【０００２】  マスクには大別して花粉吸入防止、粉塵吸入防止、ウイルス吸入防止、感冒予防、顔の防寒等がある。【０００３】  防寒マスクに関しては眼下から顎部にかけて顔面骨格にフィットさせる覆布や発泡性ウレタン、曲面形状プラスチックで覆うマスクが殆どである。【０００４】  従来の防寒マスクに関しては上述の如く、顔を冷風から守り、顔面を保温するのみであった。【０００５】  又、衣服内の温度を上昇させるには燃料カイロ等の発熱媒体が必要であった。【０００６】  尚、後述の本発明におけるような暖房マスクは、例えば特許文献１に示されているように、正面顔面保護部に呼吸用孔や鼻孔を備えた防寒マスクの例はあるが、顔面の防寒及び衣服内の暖房を両方兼ね備えたマスクの例は見当たらない。
【特許文献１】特許公開平７−２８９６７９公報
【発明の開示】
【発明が解決しようとする課題】
【０００７】  本発明の課題は、上述の如き従来の防寒マスクにおける高機能化を図り、人の排気する吐息の廃熱を有効利用することに着目し、顔面保温と衣服内に吐息を送風し衣服内の温度を上昇させ、従来の発熱媒体（燃料カイロ等）の不要化を容易に達成させる暖房マスクを提供することにある。
【課題を解決するための手段】
【０００８】  上述課題を解決するために、本発明に係る暖房マスクは顔面を密閉し覆い、マスク下部から延びた吐息送風管を一体化したことを特徴とするものからなる。一体化された吐息送風管を衣服内へ挿入することで、吐息の廃熱を利用し従来のような発熱媒体を必要とせず、容易に衣服内の温度を上昇させ、快適温度に達成できる。【０００９】  この吐息送風管一体のマスクは、効率よく吐息を衣服内へ送風するためマスクを顔面の眼下から顎部までの骨格に沿った立体成型にして密閉する。【００１０】  そのマスクの素材はプラスティック等のプレス成型されたハードケース又は立体的に裁断された発泡ウレタン等のソフトケースにより顔面を密閉する。【００１１】  マスク固定はマスクの両端に取付けられた金具又はマジックテープで頭部裏側を固定する。【００１２】  マスクは耳に被るようにして顔面の眼下全体及び側頭部を覆い防寒する。【００１３】  このマスクの口元には逆止弁付きの吸入口を設け、人が外気を吸入するときは吸入口から一方向のみ吸入ができ、そこからは排気されない。【００１４】  そして人が吐息するときはマスク下部から延びる吐息送風口先端から排気される。この吐息送風口には逆止弁が取付けてあり、一方向のみの排気で衣服内に送風されて、そこからは吸入はできない。【００１５】  この吐息送風管はフレキシブルチューブで出来ており衣服内に送る配管長を調節する役目と、顔が上下左右に動いた時に自由自在に動き、衣服内から引っ張りでない役目を有する。【００１６】  逆止弁を取付けた吸入口及び吐息送風管は、人間から排出される熱源である吐息を効率よく衣服内へ送風し、衣服内温度を容易に上昇させることに有効である。【００１７】  又、吸入口と排気口（吐息送風口）が独立しているので、マスク内が蒸気で篭ることが無くマスク内からの内漏れで眼鏡等が曇ることも無い。
【発明の効果】
【００１８】  本発明に係る暖房マスクによれば、顔面骨格形状にあった立体成型マスクと逆止弁の取付けてある吸入口及び吐息送風口で、熱源である吐息を効率よく衣服内に送風して衣服内を快適温度に上昇させることができ、衣服内温度上昇には燃料カイロ等を必要としない。
【発明を実施するための最良の形態】
【００１９】  以下に、本発明の望ましい実施の形態について、図面を参照して説明する。
図１は暖房マスク本体の形状を示している。図において４のマスク形状は顔面骨格形状にあった口と鼻をハード又はソフトケースにより鼻から顎部を密閉し覆う。【００２０】  呼吸経路はマスク口元にある逆止弁付き吸入口２から新鮮空気を吸い、口又は鼻から吐いた息はマスク下部に延びる逆止弁付き吐息送風管３を通り吐息送風口５から衣服に送風される。【００２１】  吸入口２の逆止弁は外気新鮮空気のみ採り込むことができ、ここからは吐息が排出できない一方向の空気の流れを作るための逆止弁である。【００２２】  吐息送風口先端部５の逆止弁は吐息のみを衣服内に排出でき、ここからは吸入できない一方向の空気の流れを作るための逆止弁である。【００２３】  従って、図２が示すように口又は鼻から呼吸するときは吸入口２ａが開いて吐息送風口５ａは閉じる。【００２４】  そして口又は鼻から排気するときは吸入口２ｂが閉じて吐息送風口５ｂが開き衣服へと息が送風され衣服内の温度が人の廃熱により上昇するという仕組みである。【００２５】  吐息送風管３はフレキシブルチューブ（蛇腹）で容易に長さを調整でき、また顔を上下左右に動かしても吐息送風管３が衣服から抜け出ない構造となっている。【００２６】  又、吐息送風管３は衣服に人間の暖かい吐息を送風するための管である。
【産業上の利用可能性】
【００２７】  本発明は発熱媒体（カイロ等の燃料エネルギー）を必要とせず、人の廃熱を利用することで、廃棄物も発生しないため地球エコロジーに有益である。又、何時でも手軽に暖を採ることができる。
【図面の簡単な説明】
【００２８】
【図１】本発明の暖房マスク全体の外観図である。
【図２】本発明のマスク吸入口、吐息送風口の逆止弁の断面図である。
【符号の説明】
【００２９】１              暖房マスク本体
２、２ａ、２ｂ  逆止弁付き吸入口
３              フレキシブル（蛇腹）吐息送風管
４              顔面形状マスク
５、５ａ、５ｂ  逆止弁付き吐息送風口
６              マスク固定用マジックテープ
【図１】
2005192976.tif 000003
【図２】
2005192976.tif 000004
(57)【要約】      （修正有）【課題】魚、肉類等の焼成用基板において消煙、消臭効果に優れた基板の製造方法を提供する。【解決手段】焼成用基板の構成素材としてシラス（５ｍｍ以下）、細粒径骨材（0.6〜2.5ｍｍ）、セメント、特殊凝固材、高性能減水剤を規定量配合する。該配合材を成形型枠に流し込みバイブレーター併用で平滑に均す。一方、表層材としてシラスの微紛、火山灰、酸化チタン、粘土、無機質粘着材を適量配合して７〜１３ｍｍ（二種類の造粒が必要）の造粒物を作り乾燥後、焼成（１１３０〜１３００℃）して球状セラミックスを準備する。先に成型したシラスモルタルの硬化が進み表面水が無くなった頃（打設後４０〜６０分）球状セラミックスを該表面に散布しコテ押さえで粒径の半分程度押し沈め、次いで蒸気養生硬化させた焼成用基板の製造方法。【選択図】図１
2005192980.tif 000002
【特許請求の範囲】
【請求項１】
▲１▼  ５ｍｍ以下のシラス、細粒シラス（０，６〜２，５ｍｍ）亦は同粒径の硅砂とセメント、特殊凝固剤、高性能減水剤を規定量配合し、混練して成形した焼成用基板
▲２▼  表層材としてシラス、亦は硅石の微細なパウダーと火山灰、酸化チタン，粘土等を主材とし粘着材（無機質）を適量混和して造粒成形し乾燥後焼成（１１３０〜１３００℃）した球状セラミツクスを表面に散布，重鎮して▲１▼と１体化した焼成用基板
【発明の詳細な説明】
【発明の詳細な説明】
【技術分野】
【００１】この発明は
【請求項１】
の▲１▼と▲２▼  が組み合わせ、１体化されて製造された焼成用基板で有る．
【背景技術】
【００２】従来の魚，肉等の焼成は金網、フライパン、亦は双方組み合わせた形式で直接発熱器にて焼成するタイプのものが良く使用されている．
その為に消煙，消臭はウチワ、または強制的に換気扇が使用されている。
【発明が解決しようとする課題】
【００３】発明が解決しようとする方法は下記の通りで有る．
▲１▼  シラス利用のコンクリート２次製品化の利用（特願２００２−１８３６８３号）
▲２▼  硅砂紛利用のコンクリート２次製品化の利用（特願２００２−３８２６４７号）
▲３▼  ▲１▼、▲２▼を利用して主用構成材である消煙、消臭用の焼成用基板が製造できる。
▲４▼  前記▲３▼の性能をより一層高める表層材は次ぎの構成により製造される。シラス、硅砂紛のパウダー（多孔質の独立溌泡体）、火山灰（遠赤外線効果）、酸化チタン微紛、粘土、粘着材（無機質）を適量配合して造粒、焼成して球状セラミツクスを作る。
球状セラミツクスを前記の▲３▼を製造する時に▲３▼の表面が未硬化時に▲３▼の表面に散布し重鎮して粒径の６割程度を埋め込み表層材を１体化して焼成用基板を製造する。
【課題を解決するための手段】
【００４】前記
【００３】の▲１▼，▲２▼はシラス、硅砂紛を利用した普通のコンクリートの製造方法で有る。今回は配合、構成材の組み合わせに特に注意したい。構成素材は多孔質独立気泡体であり粒子間の結合方法は各素材間に海綿状結合法であれば焼成用基板の表面温度に特徴有る効果が生じるで有ろう。亦表層材の球状セラミツクスも構成素材の特徴が出るとともに造粒成型材の凸部分（３〜５ｍｍ）が魚、肉類等と焼成用基板との隙間を作る事の効果も面白いと考えられる。
【発明を実施するための最良の形態】
【００５】本発明の實施の形態について説明致します。
焼成用基板のシラス（５ｍｍ以下）、シラス細め（０，６〜２，５ｍｍ）亦は硅石の同じ粒径材、とセメント（ポートランドセメント）、特殊凝固剤，高性能減水剤を規定量配合しミキサーされたモルタルを成型枠にながしバイブ併用でコテで平滑に均す。３０分〜６０分表面水分が適度に乾燥した頃球状セラミツクスを規定枠にならい散布し粒径の半分過ぎ程度にコテ押さえて沈める。これで成型作業完了、その後蒸気養生４０℃４時間程度で自然乾燥へ移動する。
【発明の効果】
【００６】本発明の商品は食品用の魚，肉類等の焼成用の基板として使用するものである．熱源はガス，炭火，電熱器等何れでも良い。最初１０〜１５分程度空たきする。その後被焼生体をじかに亦はホイル敷きの上に載せ約１５分程度で試食可能となる．途中煙も無く臭いもしない．まつたく不思議で有る．
【図面の簡単な説明】
【図１】    本発明の焼成用基板の斜視図
【図２】    Ａの断面図
【符号の説明】
１      焼成用基板
２      表層材の球状セラミツクス
３      排水溝
【図１】
2005192980.tif 000003
【図２】
2005192980.tif 000004
(57)【要約】【課題】  日差しを防ぐうちわ等を活用しやすいようにするための、保持部材付きステックを提供する。【解決手段】  ステックの両端に、保持部材を設し、自動車内やベビーカーのフックに、一方の保持部材をかまして固定し、他方の保持部材に、日差しを防ぐうちわ等をはさみ、ステックを曲げて高さ、位置を調整する事が出来る。以上を特徴とする保持部材付きステックである。【選択図】  図１
2005192972.tif 000002
【特許請求の範囲】
【請求項１】
ステックの両端に、保持部材を設け、自動車内やベビーカーのフックに、一方の保持部材をかまして固定し、他方の保持部材に、日差しを防ぐうちわ等をはさみ、ステックを曲げて位置を調整出来ることを特徴とする保持部材付きステック。
【発明の詳細な説明】
【技術分野】
【０００１】  本発明は、日差しを防ぐうちわ等を活用しやすいように、高さ、位置を自由に調節し、かませて固定出来る保持部材付きステックに関するものである。
【背景技術】
【０００２】  従来は、
（イ）  自動車運転中斜め右上部より差し込む日差しが、顔にあたることが多かった。
（ロ）  自動車以外のベビーカーにも同様のことがある。
【発明の開示】
【発明が解決しようとする課題】
【０００３】  そのために、次のような問題点があった。
（イ）  自動車運転中斜め右上部よりの日差しが顔にあたっても、フロントガラス上部のサンバイザーでは、十分に日差しを防ぐ事が出来なかった。
そのため、右側走行中の車や歩行者の確認がしにくくなる事があった。
高速道路などでは、ドアガラスでタオル等を挟み日差しを防ぐ事も運転中には、出来ない事である。
（ロ）  ベビーカーの構造上、前方からの日差しを防ぐ事が出来ず、思うような高さ、位置で日差しを十分に防ぐ事が出来る物がなかった。
本発明は以上の問題点を解決しようとするものである。
【課題を解決するための手段】
【０００４】  ステックの両端に、保持部材を設し、自動車内やベビーカーのフックに、一方の保持部材をかまして固定し、他方の保持部材に、日差しを防ぐうちわ等をはさみ、ステックを曲げて高さ、位置を調整する事が出来る。以上を特徴とする保持部材付きステックである。
【発明の効果】
【０００５】  本発明は、日差しがまぶしく感じられる時、自由自在に曲げて位置を調整し日差しを防ぎ、必要でない時は曲げて、自動車では、運転や乗降の邪魔にならないように出来る。
【発明を実施するための最良の形態】
【０００６】以下、本発明の実施の形態を説明する。
（イ）  ステック（１）の両端に保持部材（２）（２′）を固定（５）する。
（ロ）  保持部材（２）（２′）のグリップ（４）（４′）を握り、はさむ・かませる部分（３）を広げて日差しを防ぐ物（６）をはさむ。
本発明は以上のような構造で、これを使用するときは、
（ハ）  自動車内の場合は、ステック（１）の端の保持部材（２′）の一方を車内のフック（７）にグリップ（４′）を握り、かませて（３）固定し、もう一方の保持部材（２）のグリップ（４）を握り日差しを防ぐ物（６）をはさむ。
ステック（１）を曲げて高さ、位置を調整する。
必要でない時は、曲げて邪魔にならないように出来る。
（ニ）  ベビーカーの場合は、ステック（１）の端の保持部材（２′）の一方をベビーカーのフック（９）にグリップ（４′）を握り、かませて（３）固定し、もう一方の保持部材（２）のグリップ（４）を握り日差しを防ぐ物（８）をはさむ。
ステック（１）を曲げて高さ、位置を調整する。
【図面の簡単な説明】
【０００７】
【図１】    本発明の斜視図
【図２】    本発明の使用状態を示す斜視図
【図３】    本発明の使用状態を示す斜視図（車内）
【図４】    本発明の使用状態を示す斜視図（ベビーカー）
【符号の説明】
【０００８】        １      ステック本体
２、２′  保持部材
３      はさむ・かませ部位
４，４′  グリップ
５      保持部材の固定部
６      日差しを防ぐ物
７      自動車内フック
８      日差しを防ぐ物
９      ベビーカーフック
【図１】
2005192972.tif 000003
【図２】
2005192972.tif 000004
【図３】
2005192972.tif 000005
【図４】
2005192972.tif 000006